(57)【特許請求の範囲】
【請求項１】
木造家屋を構成する土台，柱，梁，鴨居，束，垂木などの骨材間にパネル体が嵌合された家屋であって、前記パネル体は、対向する桟部材間に少なくとも二枚の平板部材が所定の間隙を介して配設された構成であり、前記平板部材同士間の空間の両端は適宜な部材で閉塞され該空間は真空若しくは真空に近い状態に設定されており、前記骨材には、前記パネル体の前記平板部材同士の間及び前記桟部材の上下端部に設けられた凹部に嵌合される突部が形成されていることを特徴とする家屋。
【請求項２】
請求項１記載の家屋において、前記桟部材は木製であることを特徴とする家屋。
【請求項３】
請求項１，２いずれか１項に記載の家屋において、前記平板部材は木製であることを特徴とする家屋。
【請求項４】
請求項１〜３いずれか１項に記載の家屋において、前記平板部材間の空間の上下両端部をアルミ箔で閉塞したことを特徴とする家屋。
【発明の詳細な説明】
【０００１】
【発明の属する技術分野】
本発明は、家屋に関するものである。
【０００２】
【従来の技術及び発明が解決しようとする課題】
従来から、家屋構築用のパネル体が提案されており、このパネル体を使用した建築法（通称パネル工法）は、それ以前から行われていた工法に比して施工期間を短くさせることができ注目されている。
【０００３】
本出願人はこの家屋構築用のパネル体について更なる研究実験を重ね、その結果、セールスポイントのある画期的な家屋を発明した。
【０００４】
【課題を解決するための手段】
添付図面を参照して本発明の要旨を説明する。
【０００５】
木造家屋を構成する土台６，柱７，梁８，鴨居，束，垂木などの骨材５間にパネル体１が嵌合された家屋であって、前記パネル体１は、対向する桟部材２，３間に少なくとも二枚の平板部材４が所定の間隙Ｓを介して配設された構成であり、前記平板部材４同士間の空間Ｓの両端は適宜な部材で閉塞され該空間Ｓは真空若しくは真空に近い状態に設定されており、前記骨材５には、前記パネル体１の前記平板部材４同士の間及び前記桟部材２，３の上下端部に設けられた凹部２ｃ，３ｃに嵌合される突部５ａが形成されていることを特徴とする家屋に係るものである。
【０００６】
また、請求項１記載の家屋において、前記桟部材２，３は木製であることを特徴とする家屋に係るものである。
【０００７】
また、請求項１，２いずれか１項に記載の家屋において、前記平板部材４は木製であることを特徴とする家屋に係るものである。
【０００８】
また、請求項１〜３いずれか１項に記載の家屋において、前記平板部材４間の空間Ｓの上下両端部をアルミ箔で閉塞したことを特徴とする家屋に係るものである。
【０００９】
【発明の作用及び効果】
本発明は、対向する桟部材２，３間に少なくとも二枚の平板部材４が所定の間隙Ｓを介して配設される構成であるから、この平板部材４同士間の間隙Ｓは断熱空間として機能し、しかも、この複数の平板部材４によりパネル体１の強度が増加することになる。
【００１０】
よって、本発明に係るパネル体１は、断熱機能を発揮し且つ耐荷重性能を飛躍的に向上することができるなど家屋を構成する部材として極めて秀れることになり、ひいては質の高い家屋を提供し得ることになる。
【００１１】
また、本発明に係るパネル体１は、二枚の平板部材４の間の空間Ｓの両端は適宜な部材で閉塞され、該空間Ｓは真空若しくは真空に近い状態に設定されているから、簡易且つ確実に良好な断熱構造が得られることになり、より一層質の高い家屋を提供し得ることになる。
【００１２】
また、本発明においては、家屋を構成する骨材５へのパネル体１の堅固な設置が簡易且つ迅速に行われることになり、より一層質の高い家屋を構築し得ることになるなど極めて商品価値の高い画期的な家屋となる。
【００１３】
【発明の実施の形態】
図１〜３は本発明の第一実施例、図４，５は第二実施例であり、以下に説明する。
【００１４】
第一実施例について説明する。
【００１５】
第一実施例は、家屋構築用のパネル体１であり、このパネル体１は、左右の桟部材２，３間に二枚の平板部材４を所定の間隙Ｓを介して配設されたものである。
【００１６】
桟部材２，３は、図１，２に図示したように適宜な木製の角状部材であり、この内面２ａ，３ａの巾方向ほぼ中央位置には平板部材４を連設する二本の凹溝２ｂ，３ｂが桟部材２，３の長さ方向に延設されている。
【００１７】
尚、この凹溝２ｂ，３ｂは平板部材４の枚数に応じて適宜増設するものである。
【００１８】
平板部材４は、図１，２に図示したように適宜な木製の部材を板状に形成したものであり、前記凹溝２ｂ，３ｂに嵌合されて配設される。
【００１９】
また、第一実施例ではこの二枚の平板部材４間の空間Ｓの上下両端部をアルミ箔で閉塞し、真空ポンプで該空間Ｓ内の空気を抜き出し、真空若しくは真空近似状態としている。
【００２０】
この第一実施例に係るパネル体１を土台６，柱７，梁８，鴨居，束，垂木などの骨材５間に第３図のように配設して家屋を構築する。この際、前記アルミ箔に上部材及び下部材を配設して枠状のパネル体１としたから骨材５間に配設しても良いし、この上部材及び下部材を使用せず、そのまま骨材５間に配設しても良い。
【００２１】
尚、桟部材２には適宜断熱材を設けてもよい。
【００２２】
第一実施例は上述のように、対向する桟部材２，３間に少なくとも二枚の平板部材４が所定の間隙Ｓを介して配設される構成であるから、この平板部材４同士間の間隙Ｓは断熱空間として機能し、しかも、この複数の平板部材４によりパネル体１の強度が増加することになる。
【００２３】
また、第一実施例は、パネル体１の桟部材２，３が柱７や梁８などの骨材５として機能するように使用することも可能である。
【００２４】
よって、第一実施例によれば、断熱機能を発揮し且つ耐荷重性能を飛躍的に向上することができるなど家屋を構成する壁材として極めて秀れることになり、ひいては質の高い家屋を提供し得ることになる。
【００２５】
また、第一実施例は、二枚の平板部材４の間の空間Ｓの両端は適宜な部材で閉塞され、該空間Ｓは真空若しくは真空に近い状態に設定されているから、簡易且つ確実に良好な断熱構造が得られることになり、より一層質の高い家屋を提供し得ることになる。
【００２６】
次に、第二実施例について説明する。
【００２７】
第二実施例は、図４，５に図示したように桟側部材２，３の上下端部に凹部２ｃ，３ｃを形成し、この凹部２ｃ，３ｃ及び二枚の平板部材４間に骨材５に形成した突部５ａを嵌合した場合である。
【００２８】
従って、家屋を構成する骨材５へのパネル体の堅固な設置が簡易且つ迅速に行われることになり、より一層質の高い家屋を提供し得ることになる。
【００２９】
その余は第一実施例と同様である。
【００３０】
ところで、桟部材の内面にして該桟部材の正面及び裏面から所定の距離だけ奥まった位置に平板部材が設けられた所謂Ｈ型パネルは、強度の点でも非常に秀れている。以下、このＨ型パネルの強度実験の結果について説明する。
【００３１】
この強度実験は、富山県林業技術センターに依頼して行った。また、実験方法は、ＪＩＳ  Ａ  １４１４に規定のある面内せん断試験に準じて行った。また、負荷方式は日本式を採用した。
【００３２】
具体的には、土台と、二本の柱と、桁梁とによって囲繞される空間部にパネル体を嵌合止着し、土台を固定し、桁梁には水平方向への荷重を作用せしめる実験を行った。
【００３３】
実験結果を下記表１及び２に示す。
【００３４】
尚、表１は、二本の柱間１７０５mm、土台と桁間２６１０mmの空間部にＨ型パネルを左右四枚並設するか、若しくは、従来のパネル、即ち、上下左右に囲繞状態で配設された枠部材の一側に平板部材を付設し、更に、左右の枠部材の中間に補強桟を一本配設したパネルを左右に二枚並設した場合、表２は、二本の柱間３５３５mm、土台と桁間２７３０mmの空間部にＨ型パネルを左右に六枚並設し、中間の四枚のＨ型パネルの上下中間部分をくり抜いて窓枠を形成した場合である。表中、面材は平板部材を意味する。また、Ｌａｒｉｘが従来のパネルである。
【００３５】
【表１】
0004598991.tif 000002
【００３６】
【表２】
0004598991.tif 000003
【００３７】
以上のように、Ｈ型パネルは従来のパネルに比し非常に強度が秀れていることが確認された。特に壁倍率は、従来のパネルで平板部材として用いたカラマツ構造用合板により非常に強度の劣るＳＰＦ，ＯＳＢ，パーティクルボードを用いたにもかかわらず、４.１〜５.１という極めて秀れた数値となった。ＳＰＦ製の従来のパネルの壁倍率は１.２〜１.５程度であり、故に、本実験によれば、Ｈ型パネルは従来のパネルの３〜５倍という極めて高い強度を有していることが確認された。
【図面の簡単な説明】
【図１】  第一実施例を説明する斜視図である。
【図２】  第一実施例に係る要部の断面図である。
【図３】  第一実施例の使用状態説明図である。
【図４】  第二実施例を説明する斜視図である。
【図５】  第二実施例の使用状態説明図である。
【符号の説明】
Ｓ  間隙・空間
１  パネル体
２  桟部材
２ｃ 凹部
３  桟部材
３ｃ 凹部
４  平板部材
５  骨材
５ａ  突部
６  土台
７  柱
８  梁
【図１】
0004598991.tif 000004
【図２】
0004598991.tif 000005
【図３】
0004598991.tif 000006
【図４】
0004598991.tif 000007
【図５】
0004598991.tif 000008